【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
構造体から懸架する格納棚であって、
各々が複数の細長い部材を有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記パネルは、協働して実質的な連続平面を形成するよう互いに対して隣接して前記支持ビームに沿って位置付けられる、
格納棚。
【請求項２】
構造体から懸架する格納棚であって、
各々が複数の細長い部材を有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
隣接するパネルの端部は、隣接するパネルが協働して実質的な連続平面を形成するよう互いに対して固定される、
格納棚。
【請求項３】
構造体から懸架する格納棚であって、
各々が複数の細長い部材を有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記パネルは、協働して実質的な連続平面を形成するよう互いに隣接して前記支持ビームに対して固定される、
格納棚。
【請求項４】
前記支持ビームは、前記懸架柱の各々の下端と一体的に形成される、
請求項１乃至３のうちいずれか一項記載の格納棚。
【請求項５】
前記支持ビームは２つの端部を有し、前記支持ビーム端部の各々は、前記基盤を越えて延在する、
請求項１乃至３のうちいずれか一項記載の格納棚。
【請求項６】
前記支持枠は、各支持ビーム端部に対して下端において取り付けられる懸架柱を有する、
請求項１乃至３のうちいずれか一項記載の格納棚。
【請求項７】
前記支持ビームの長さは、前記懸架柱が各支持ビーム端部において前記パネルを隣接して保持するようにされる、
請求項１乃至３のうちいずれか一項記載の格納棚。
【請求項８】
隣接するパネルを固定するカップリングを更に有する、
請求項１乃至３のうちいずれか一項記載の格納棚。
【請求項９】
前記パネルは、ワイヤ部材のグリッドを有して形成され、前記カップリングは、隣接するパネルの隣接するワイヤ部材を固定するクランプを有する、
請求項１乃至３のうちいずれか一項記載の格納棚。
【請求項１０】
各パネルは、前記支持ビームに対して固定される、
請求項１乃至３記載の格納棚。
【請求項１１】
前記懸架柱は、調整可能な長さを有する、
請求項１乃至３のうちいずれか一項記載の格納棚。
【請求項１２】
前記懸架柱は、少なくとも２つの柱要素を有し、前記懸架柱の前記長さが前記柱要素を選択的に接合することによって調整されるようにする、
請求項１乃至３のうちいずれか一項記載の格納棚。
【請求項１３】
前記パネルは、前記支持ビームに沿って位置付けられ、隣接するパネルの端部が前記支持ビームに対して垂直であるようにする、
請求項１乃至３のうちいずれか一項記載の格納棚。
【請求項１４】
前記パネルは、同等の長さを有し、前記支持ビームは、前記パネルの前記長さの整数倍である長さを有する、
請求項１乃至３のうちいずれか一項記載の格納棚。
【請求項１５】
構造体から懸架する格納棚であって、
各々がワイヤ部材のグリッドを有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
隣接するパネルの隣接するワイヤ部材を固定するクランプの形状において隣接するパネルを固定するカップリングと、
を有し、
前記基板の前記パネルは、実質的な連続平面を形成するよう前記支持ビームに沿って位置付けられる、
格納棚。
【請求項１６】
構造体から懸架する格納棚であって、
各々がワイヤ部材のグリッドを有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
隣接するパネルのワイヤ部材は、隣接するパネルが協働して実質的な連続平面を形成するよう固定される、
格納棚。
【請求項１７】
構造体から懸架する格納棚であって、
各々がワイヤ部材のグリッドを有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
隣接するパネルの隣接するワイヤ部材を固定するクランプの形状において隣接するパネルを固定するカップリングと、
を有し、
前記パネルは、協働して実質的な連続平面を形成するよう互いに対して隣接して前記支持ビームに沿って位置付けられる、
格納棚。
【請求項１８】
構造体から懸架する格納棚であって、
各々が交差する細長いワイヤ部材のグリッドを有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記基板は、実質的な連続平面を形成するよう前記支持ビームに対して取り付けられる、
格納棚。
【請求項１９】
構造体から懸架する格納棚であって、
各々が交差する細長いワイヤ部材のグリッドを有して形成される２つ又はそれより多い個別のパネルを有する基盤と、
前記基盤を支持する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記パネルは、協働して実質的な連続平面を形成するよう互いに隣接して前記支持ビームに対して固定される、
格納棚。
【請求項２０】
構造体から懸架する格納棚であって、
各々が交差する細長いワイヤ部材のグリッドを有して形成される２つ又はそれより多い個別のパネルを有する基盤と、
２つの端部を有する少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記支持ビームは、前記基板を支持し、前記パネルは、協働して実質的な連続平面を形成するよう互いに対して固定される、
格納棚。
【請求項２１】
前記懸架柱の各々の前記下端は、角継ぎ手を形成するよう前記支持ビームの端部と一体的に形成される、
請求項２０記載の格納棚。
【請求項２２】
前記懸架柱の各々の前記下端は、Ｌ字型フランジを有し、前記フランジは、前記支持ビームの端部に対して取り付けられる、
請求項２０記載の格納棚。
【手続補正２】
【補正対象書類名】明細書
【補正対象項目名】０００２
【補正方法】変更
【補正の内容】
【０００２】
米国特許第６，４３５，１０５号明細書（特許文献１）、米国意匠特許第４５９，９２６号（特許文献２）、及び米国意匠特許第４７０，３５３号（特許文献３）を含んで、懸架される格納構造は、先行技術において既知である。懸架される構造体の例はまた、米国特許第６，４０９，０３１号明細書（特許文献４）及び米国意匠特許第４１６，１５２号（特許文献５）等の出願人に帰する参照において示される。
【特許文献１】米国特許第６，４３５，１０５号明細書
【特許文献２】米国意匠特許第４５９，９２６号
【特許文献３】米国意匠特許第４７０，３５３号
【特許文献４】米国特許第６，４０９，０３１号明細書
【特許文献５】米国意匠特許第４１６，１５２号
【特許文献６】米国特許第４，４４１，５８３号明細書
【特許文献７】米国特許第７，１５２，５３５号明細書
【特許文献８】米国特許第６，４３５，１０５号明細書
【特許文献９】米国特許第６，７１５，４２７号明細書